(57)【要約】【課題】アモルファスシリコン感光体を具備する画像形成装置において発生する感光体の絶縁破壊を抑えることができるトナーを提供する。【解決手段】アモルファスシリコン感光体４１を具備する画像形成装置３０に用いられるトナーであり、トナー母粒子として少なくとも結着樹脂および共役系ポリマーを含み、前記共役系ポリマーの量が、結着樹脂１００質量部に対して、２〜１０質量部であるトナーを用いる。【選択図】図１
2008216856.tif 000002
【特許請求の範囲】
【請求項１】
アモルファスシリコン感光体を具備する画像形成装置に用いられるトナーであり、
トナー母粒子として少なくとも結着樹脂および共役系ポリマーを含み、
前記共役系ポリマーの量が、結着樹脂１００質量部に対して、２〜１０質量部である、トナー。
【請求項２】
前記共役系ポリマーが、ポリアセチレン系ポリマーである、請求項１に記載のトナー。
【発明の詳細な説明】
【技術分野】
【０００１】
本発明は、電子写真方式の画像形成装置における静電潜像の現像に用いられるトナーに関する。
【背景技術】
【０００２】
レーザープリンタ、静電式複写機、普通紙ファクシミリ装置、これらの複合機等の画像形成装置においては、下記のようにして被転写体に画像が形成される。
感光体の表面を帯電手段によって一様に帯電させる。
露光手段によって感光体の表面を露光して静電潜像を形成する。
現像手段によって静電潜像にトナーを付着させて、トナー像として現像する。
転写手段によってトナー像を感光体から被転写体（紙等。）へ転写する。
定着手段によってトナー像を被転写体に定着させ、画像を形成する。
クリーニング手段によって感光体の表面に残留したトナーを除去し、次の画像形成に備える。
【０００３】
前記感光体としては、Ｓｅ系感光体、ＣｄＳ感光体、ＯＰＣ（有機系感光体）、アモルファスシリコン感光体等が知られている。
Ｓｅ系感光体は、電子写真技術の創成期から用いられた伝統的な感光体である。しかし、環境への配慮から、廃棄の際には、セレンを回収する必要がある。
ＯＰＣは、環境安全性に優れ、低コストであるため、現在、感光体として広く用いられる。しかし、耐摩耗性および耐久性の問題を有する
アモルファスシリコン感光体は、環境安全性に優れ、また、表面硬度が高い（ビッカース硬度で１５００〜２０００である。）ため、長寿命が期待でき、ＣｄＳ感光体の数倍の耐刷性能を有する。
【０００４】
しかし、アモルファスシリコン感光体を具備し、かつブレード方式のクリーニング手段を具備した画像形成装置において従来のトナーを用いた場合、感光体の絶縁破壊による異常画像が発生する。該理由は、アモルファスシリコン感光体がＯＰＣよりも絶縁破壊に弱いためであると考えられる。絶縁破壊の発生場所は、感光体をクリーニングするブレード稜線部（先端付近）である。ブレード稜線部に滞留し続ける同じトナー（トナー母粒子および外添剤）が、ブレードとの摩擦で過剰に帯電し（過帯電）、ある上限を超えると一気に放電を行う。そのとき、感光体に向かって１点放電する（極微小領域に放電する）ことにより感光体が絶縁破壊すると考えられる。
感光体の絶縁破壊が起こると、修復不能な不具合である、感光体の感光層の破壊が発生し、画像上に黒い点が顕著に現れてしまう。
【０００５】
感光体の絶縁破壊を抑えるトナーまたは画像形成装置としては、下記のものが提案されている。
（１）遊離磁性粉の存在するトナー（特許文献１）。
（２）トナー母粒子の表面を低抵抗の酸化チタン微粒子で表面処理したトナー（特許文献２）。
（３）感光層の膜厚を規定した感光体を具備する画像形成装置（特許文献３）。
【０００６】
しかし、（１）のトナーには、遊離磁性粉が現像スリーブや感光体に付着するおそれがある。現像スリーブや感光体に遊離磁性粉がごく微量でも付着すると、それを核として付着が成長し、致命的な画像欠陥を引き起こすことがよく知られている。
また、（２）のトナーでは、酸化チタン微粒子の埋没、脱離により、十分な効果が得られない。また、脱離した酸化チタン微粒子が、現像スリーブや感光体に付着することが懸念される。
【０００７】
（３）の画像形成装置においては、本来、絶縁破壊の原因となっているはずのトナーには対策がとられていない。すなわち、特許文献３には、トナーに関する特別な規定がない。そのため、（３）の画像形成装置においては、今後、特性の異なるトナーを用いた場合に、感光体の絶縁破壊が発生することが懸念される。
【特許文献１】特開２００３−１４９８５７号公報
【特許文献２】特開２００５−０１７５２４号公報
【特許文献３】特開２００２−２８７３９１号公報
【発明の開示】
【発明が解決しようとする課題】
【０００８】
本発明は、アモルファスシリコン感光体を具備する画像形成装置において発生する感光体の絶縁破壊を抑えることができるトナーを提供する。
【課題を解決するための手段】
【０００９】
本発明のトナーは、アモルファスシリコン感光体を具備する画像形成装置に用いられるトナーであり、トナー母粒子として少なくとも結着樹脂および共役系ポリマーを含み、前記共役系ポリマーの量が、結着樹脂１００質量部に対して、２〜１０質量部であることを特徴とする。
前記共役系ポリマーは、ポリアセチレン系ポリマーであることが好ましい。
【発明の効果】
【００１０】
本発明のトナーは、アモルファスシリコン感光体を具備する画像形成装置において発生する感光体の絶縁破壊を抑えることができる。
【発明を実施するための最良の形態】
【００１１】
（トナー）
本発明のトナーは、トナー母粒子に対して、必要に応じて外添剤を含む。
【００１２】
トナー母粒子は、結着樹脂および共役系ポリマーを含み、必要に応じて、着色剤、離型剤、電荷制御剤、磁性粉等を含む。
【００１３】
結着樹脂としては、例えば、ポリエステル系樹脂、スチレン系樹脂、アクリル系樹脂、スチレン−アクリル系共重合樹脂、オレフィン系樹脂（ポリエチレン、ポリプロピレン等。）、塩化ビニル系樹脂、ポリアミド系樹脂、ポリウレタン系樹脂、ポリビニルアルコール系樹脂、ビニルエーテル系樹脂、Ｎ−ビニル系樹脂、スチレン−ブタジエン樹脂等の熱可塑性樹脂；エポキシ樹脂（ビスフェノールＡ型エポキシ樹脂、水素化ビスフェノールＡ型エポキシ樹脂、ノボラック型エポキシ樹脂、ポリアルキレンエーテル型エポキシ樹脂、環状脂肪族型エポキシ樹脂等。）、シアネート樹脂等の熱硬化性樹脂が挙げられる。
【００１４】
共役系ポリマーとしては、ポリアセチレン、ポリアニリン、ポリチオフェン、ポリパラフェニレン等の、いわゆる導電性ポリマーが挙げられ、透明性が高く、色味の調整が不要である点から、ポリアセチレン系ポリマーが好ましい。
共役系ポリマーの量は、結着樹脂１００質量部に対し、２〜１０質量部であり、３〜７質量部が好ましい。
【００１５】
着色剤としては、カーボンブラック、アセチレンブラック、ランプブラック、アニリンブラック等の黒色顔料；黄鉛、亜鉛黄、カドミウムイエロー、黄色酸化鉄、ミネラルファストイエロー、ニッケルチタンイエロー、ネーブルスイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ等の黄色顔料；赤口黄鉛、モリブデンオレンジ、パーマネントオレンジＧＴＲ、ピラゾロンオレンジ、バルカンオレンジ、インダスレンブリリアントオレンジＧＫ等の橙色顔料；ベンガラ、カドミウムレッド、鉛丹、硫化水銀カドミウム、パーマネントレッド４Ｒ、リソールレッド、ピラゾロンレッド、ウオッチングレッドカルシウム塩、レーキレッドＤ、ブリリアントカーミン６Ｂ、エオシンレーキ、ローダミンレーキＢ、アリザリンレーキ、ブリリアントカーミン３Ｂ等の赤色顔料；マンガン紫、ファストバイオレットＢ、メチルバイオレットレーキ等の紫色顔料；紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ等の青色顔料；クロムグリーン、酸化クロム、ピグメントグリーンＢ、マラカイトグリーンレーキ、ファイナルイエローグリーンＧ等の緑色顔料；亜鉛華、酸化チタン、アンチモン白、硫化亜鉛等の白色顔料；バライト粉、炭酸バリウム、クレー、シリカ、ホワイトカーボン、タルク、アルミナホワイト等の体質顔料等が挙げられる。
着色剤の量は、結着樹脂１００質量部に対し、２〜１５質量部が好ましく、３〜１０質量部がより好ましい。
【００１６】
離型剤としては、ワックス類、低分子量オレフィン系樹脂が挙げられる。ワックス類としては、例えば、脂肪酸の多価アルコールエステル、脂肪酸の高級アルコールエステル、アルキレンビス脂肪酸アミド化合物、天然ワックス等が挙げられる。低分子量オレフィン系樹脂としては、数平均分子量が１０００〜１００００、好ましくは２０００〜６０００の範囲にあるポリプロピレン、ポリエチレン、プロピレン−エチレン共重合体等が挙げられ、低分子量ポリプロピレンが好ましい。
離型剤の量は、結着樹脂１００質量部に対し、１〜１５質量部が好ましく、２〜１０質量部がより好ましい。
【００１７】
正電荷制御剤としては、ピリダジン、ピリミジン、ピラジン、オルトオキサジン、メタオキサジン、パラオキサジン、オルトチアジン、メタチアジン、パラチアジン、１，２，３−トリアジン、１，２，４−トリアジン、１，３，５−トリアジン、１，２，４−オキサジアジン、１，３，４−オキサジアジン、１，２，６−オキサジアジン、１，３，４−チアジアジン、１，３，５−チアジアジン、１，２，３，４−テトラジン、１，２，４，５−テトラジン、１，２，３，５−テトラジン、１，２，４，６−オキサトリアジン、１，３，４，５−オキサトリアジン、フタラジン、キナゾリン、キノキサリン等のアジン化合物；アジンファストレッドＦＣ、アジンファストレッド１２ＢＫ、アジンバイオレットＢＯ、アジンブラウン３Ｇ、アジンライトブラウンＧＲ、アジンダークグリーンＢＨ／Ｃ、アジンディープブラックＥＷ、アジンディープブラック３ＲＬ等のアジン化合物からなる直接染料；ニグロシン、ニグロシン塩、ニグロシン誘導体等のニグロシン化合物；ニグロシンＢＫ、ニグロシンＮＢ、ニグロシンＺ等のニグロシン化合物からなる酸性染料；ナフテン酸または高級脂肪酸の金属塩類；アルコキシル化アミン；アルキルアミド；ベンジルメチルヘキシルデシルアンモニウム、デシルトリメチルアンモニウムクロールイド等の４級アンモニウム塩；４級アンモニウム塩を有する樹脂またはオリゴマー；カルボン酸塩を有する樹脂またはオリゴマー；カルボキシル基を有する樹脂またはオリゴマー等が挙げられる。
【００１８】
負電荷制御剤としては、有機金属錯体またはキレート化合物が挙げられ、例えば、アルミニウムアセチルアセトナート、鉄（II）アセチルアセトナート、３，５−ジターシヤリーブチルサリチル酸クロム等が挙げられ、アセチルアセトン金属錯体、サリチル酸系金属錯体または塩が好ましい。
電荷制御剤の量は、結着樹脂１００質量部に対し、０．１〜１０質量部が好ましく、０．５〜５質量部がより好ましい。
【００１９】
本発明のトナーを磁性一成分現像剤として用いる場合、トナー母粒子に磁性粉を含ませてもよい。
磁性粉としては、例えば、フェライト、マグネタイト等の、鉄、コバルト、ニッケル等の強磁性を示す金属または合金またはこれらの元素を含む化合物；強磁性元素を含まないが適当な熱処理を施すことによって強磁性を示すようになる合金；二酸化クロム等が挙げられる
磁性粉の量は、結着樹脂１００質量部に対し、５０〜１００質量部が好ましい。
【００２０】
トナー母粒子の製造方法としては、粉砕分級法、重合法、溶融造粒法、スプレー造粒法等の公知の製造方法が挙げられる。
【００２１】
トナー母粒子には、外添剤を外添してもよい。
外添剤としては、シリカ、酸化チタン、アルミナ、各種脂肪酸の金属石鹸（ステアリン酸亜鉛等。）等が挙げられる。
外添剤の量は、トナー母粒子１００質量部に対し、０．３〜５質量部が好ましい。
【００２２】
本発明のトナーは、そのまま一成分現像剤として用いてもよく、キャリアと組み合わせて二成分現像剤として用いてもよい。
キャリアとしては、磁性体の粒子、または結着樹脂中に磁性体を分散させた樹脂粒子が挙げられる。
二成分現像剤における本発明のトナーの割合は、二成分現像剤（１００質量％）中、２〜２０質量％が好ましく、３〜１５質量％がより好ましい。
【００２３】
（画像形成装置）
本発明のトナーは、アモルファスシリコン感光体を具備する画像形成装置に用いられる。
【００２４】
アモルファスシリコン感光体は、ドラム状等の導電性基体の表面に、アモルファスシリコン系の感光層を形成した公知の感光体である。
感光層の材料としては、ａ−Ｓｉ、ａ−ＳｉＣ、ａ−ＳｉＯ、ａ−ＳｉＯＮ等の光導電性を有する、アモルファスシリコン系の材料が挙げられる。
感光層は、グロー放電分解法、スパッタリング法、ＥＣＲ法、蒸着法等の気相成長法によって形成できる。
【００２５】
画像形成装置としては、レーザープリンタ、静電式複写機、普通紙ファクシミリ装置、これらの複合機等が挙げられる。
図１は、画像形成装置の一例を示す概略構成図である。複写機３０（画像形成装置）は、画像形成ユニット３１、排紙ユニット３２、画像読取ユニット３３、および原稿給送ユニット３４を有して概略構成される。
【００２６】
画像形成ユニット３１は、画像形成部３１ａおよび給紙部３１ｂを有する。
画像形成部３１ａは、ドラム状のアモルファスシリコン感光体４１、ならびに該アモルファスシリコン感光体４１の回転方向に沿って、アモルファスシリコン感光体４１の周囲に配置された、帯電器４２（帯電手段）、露光器４３（露光手段）、現像器４４（現像手段）、転写ローラ４５（転写手段）、およびクリーニング装置４６（クリーニング手段）を有する。
【００２７】
排紙ユニット３２は、中間トレイ３２ａおよび排紙トレイ３２ｂを有する。なお、中間トレイ３２ａおよび排紙トレイ３２ｂは、いわゆる胴内排紙部として構成されている。
画像読取ユニット３３は、光源３３ａおよび光学素子３３ｂを有する。
原稿給送ユニット３４は、原稿載置トレイ３４ａ、原稿給送機構３４ｂ、および原稿排出トレイ３４ｃを有する。
【００２８】
複写機３０においては、原稿載置トレイ３４ａ上に載置された原稿が、原稿給送機構３４ｂによって画像読取位置Ｐに送られた後、原稿排出トレイ３４ｃに排出される。
原稿が原稿読取位置Ｐに送られた段階で、光源３３ａからの光を利用して、ＣＣＤ等の光学素子３３ｂにて原稿上の画像が読み取られ、原稿上の画像に対応した画像信号が形成される。
一方、給紙部３１ｂに積載された用紙Ｓ（被転写体）は、一枚ずつ画像形成部３１ａに送られる。
【００２９】
画像形成部３１ａにおけるアモルファスシリコン感光体４１は、図中、実線矢印で示す方向に回転駆動されて、帯電器４２により、その表面が均一に帯電される。その後、画像信号に基づいて、露光器４３によりアモルファスシリコン感光体４１に対して露光プロセスが実施され、アモルファスシリコン感光体４１の表面に静電潜像が形成される。静電潜像に、現像器４４によりトナーを付着させて現像し、アモルファスシリコン感光体４１の表面にトナー像を形成する。そして、トナー像は、アモルファスシリコン感光体４１と転写ローラ４５とのニップ部に搬送される用紙Ｓに転写される。転写が行われた後、アモルファスシリコン感光体４１に残留する残留トナーについては、クリーニング装置４６内のクリーニングローラ４６ａおよびクリーニングブレード４６ｂで除去される。
【００３０】
トナー像が転写された用紙Ｓは、定着ユニット４７（定着手段）に搬送されて、定着プロセスが行われる。
定着後の用紙Ｓは、排紙ユニット３２に送られる。後処理（例えば、ステイプル処理等。）を行う場合には、用紙Ｓは中間トレイ３２ａに送られた後、後処理が行われる。その後、用紙Ｓは、画像形成装置の側面に設けられた排出トレイ部（図示略）に排出される。一方、後処理を行わない場合には、用紙Ｓは中間トレイ３２ａの下側に設けられた排紙トレイ３２ｂに排紙される。
【００３１】
以上説明した本発明のトナーにあっては、共役系ポリマーを含むトナー母粒子を含むため、トナーの局所的な過帯電が抑えられ、トナーから感光体への１点放電が起こりにくい。そのため、感光体の絶縁破壊が抑えられ、画像不具合（黒点）の少ない安定した画像が得られる。
【実施例】
【００３２】
以下、実施例を挙げて本発明についてさらに詳細に説明するが、本発明は以下の実施例に限定されるものではない。
【００３３】
〔製造例１〕
モノマー（ビス（４−ブトキシフェニル）−（４−エチニルフェニル）アミン（ＢＢＥＡ））の合成：
【００３４】
ｐ−ブトキシフェニルアニリンとｐ−ブトキシフェニルブロミドとを、酢酸パラジウム、助触媒である１，１’−（ビスジフェニルホスフィノ）フェロセン、ナトリウムｔ−ブトキシドの存在下に反応させて、ビス（４−ブトキシフェニル）アニリンを得た。
ビス（４−ブトキシフェニル）アニリンに、Ｎ−ブロムスクシンイミドを、Ｎ，Ｎ−ジメチルホルムアミドの存在下に反応させてビス（４−ブトキシフェニル）アニリノ−４−ブロミドを得た。
ビス（４−ブトキシフェニル）アニリノ−４−ブロミドを、テトラヒドロフランの存在下にｎ−ブチルリチウムおよびヨウ素で前処理した。これに、アセチレンアルコールのトリエチルアミン溶液を加え、Ｐｄ（ＰＰｈ３）２、ＰＰｈ３（ただし、ＰＰｈ３はトリフェニルホスフィンである。）、ヨウ化銅（Ｉ）の存在下に反応させた後、トルエン中で、水素化ナトリウムで処理することにより、ＢＢＥＡを得た。なお、各工程は、ほぼ定量的に反応が進行するように適宜反応温度を調整した。
【００３５】
〔製造例２〕
ポリアセチレン系ポリマー（ポリ（ビス（４−ブトキシフェニル）−（４−エチニルフェニル）アミン）（ＰＢＢＥＡ））の合成：
【００３６】
隔膜ラバーのキャップをした２つの注入口を備えたＵ型ガラスアンプルを用意した。
アンプルの一方の注入口に、［Ｒｈ（ＮＢＤ）Ｃｌ］２（ただし、ＮＢＤはノルボルナジエンである。）３．３ｍｇ（７．３ミリモル）および助触媒であるトリエチルアミン２０μＬを入れ、アンプルの他方の注入口に、ＢＢＥＡ０．３ｍｇ（７．３ミリモル）を入れた。さらに、アンプルの両方の注入口に、溶媒であるクロロホルム７．３ミリモルをそれぞれ入れ、アンプルの両側の溶液を１０分間静置した後、モノマー溶液と触媒溶液とを混合して重合温度３０℃で重合を開始させた。２時間後、ポリマー溶液を大量のメタノールに注いで橙色の繊維を析出させ、ろ過し、室温で２４時間真空乾燥して、ＰＢＢＥＡを得た。
【００３７】
〔実施例１〕
ポリエステル樹脂（酸価：５．６ｍｇＫＯＨ／ｇ、融点：１２０℃）１００質量部、ポリアセチレン系ポリマー（ＰＢＢＥＡ）５質量部、カーボンブラック５質量部、離型剤（日本精蝋社製、ＦＴ−１００）３質量部、および電荷制御剤（クラリアント社製、Ｐ５１）１質量部をヘンシェルミキサ（三井三池工業社製）にて混合し、押出機（池貝社製、ＰＣＭ−３０）にて混練し、ターボミル（ターボ工業社製）にて粉砕した後、エルボージェット分級機（日鉄鉱業社製）にて分級を行ない、平均粒子径７．８μｍのトナー母粒子を得た。
【００３８】
トナー母粒子１００質量部に対して、外添剤であるシリカ微粒子（日本アエロジル社製、ＲＡ２００Ｈ）１．５質量部を加え、ヘンシェルミキサー（三井三池工業社製）にて混合し、トナーを得た。
トナーの割合が５．０質量％となるように、トナーとキャリア（パウダーテック社製  、フェライトキャリヤ、平均粒子径：４５μｍ）とをロッキングミキサにて３０分間混合し、二成分現像剤を得た。
【００３９】
二成分現像剤を、アモルファスシリコン感光体を具備する複写機（京セラミタ社製、ＫＭ−７５３０（７５枚機））に搭載し、高温低湿環境（温度：３２．５℃、相対湿度２０％）において２万枚の間欠耐刷を行った。ちなみに、低湿環境では、トナーのチャージアップが起こりやすい。また、高温環境および間欠耐刷では、トナーの劣化が早く、トナーの流動性が悪くなるため、クリーング手段にトナーが溜まりやすい。このように、高温低湿環境および間欠耐刷においては、感光体の絶縁破壊が起こりやすい。
【００４０】
（画像濃度）
画像濃度（ＩＤ）は、マクベス反射濃度計（グレタグマクベス社製、ＲＤ９１４）により測定した。判定基準は下記の通りである。結果を表１に示す。
１．４以上：優、
１．３〜１．４：良、
１．２〜１．３：可、
１．２未満：不可。
【００４１】
（余白部分のかぶり濃度）
余白部分のかぶり濃度（ＦＤ）は、画像の白紙相当部のＩＤの値からベースペーパーのＩＤを引いた値とした。判定基準は下記の通りである。結果を表１に示す。
０．００３以下：優、
０．００４〜０．００７：可、
０．００８以上：不可。
【００４２】
（黒点）
画像上の黒点の発生は、目視にて判断した。判定基準は下記の通りである。結果を表１に示す。
○：２万枚耐刷後、画像に黒点が見られない。
×：２万枚耐刷後、画像に黒点が見られる。
【００４３】
〔実施例２〕
ポリアセチレン系ポリマーの量を２質量部に変更した以外は、実施例１と同様にしてトナー母粒子を得た。
該トナー母粒子を用いた以外は、実施例１と同様にしてトナーおよび二成分現像剤を得た。
該二成分現像剤を用いて、実施例１と同様の評価を行った。結果を表１に示す。
【００４４】
〔実施例３〕
ポリアセチレン系ポリマーの量を１０質量部に変更した以外は、実施例１と同様にしてトナー母粒子を得た。
該トナー母粒子を用いた以外は、実施例１と同様にしてトナーおよび二成分現像剤を得た。
該二成分現像剤を用いて、実施例１と同様の評価を行った。結果を表１に示す。
【００４５】
〔比較例１〕
ポリアセチレン系ポリマーの量を１．５質量部に変更した以外は、実施例１と同様にしてトナー母粒子を得た。
該トナー母粒子を用いた以外は、実施例１と同様にしてトナーおよび二成分現像剤を得た。
該二成分現像剤を用いて、実施例１と同様の評価を行った。結果を表１に示す。
【００４６】
〔比較例２〕
ポリアセチレン系ポリマーの量を１２質量部に変更した以外は、実施例１と同様にしてトナー母粒子を得た。
該トナー母粒子を用いた以外は、実施例１と同様にしてトナーおよび二成分現像剤を得た。
該二成分現像剤を用いて、実施例１と同様の評価を行った。結果を表１に示す。
【００４７】
〔比較例３〕
ポリアセチレン系ポリマーの量を０質量部に変更した以外は、実施例１と同様にしてトナー母粒子を得た。
該トナー母粒子を用いた以外は、実施例１と同様にしてトナーおよび二成分現像剤を得た。
該二成分現像剤を用いて、実施例１と同様の評価を行った。結果を表１に示す。
【００４８】
【表１】
2008216856.tif 000003
【００４９】
実施例１〜３では、トナーに適度なリークサイトがあるため、トナーの過帯電が抑えられ、黒点等の不具合なく、画像濃度も安定していた。
比較例１では、共役系ポリマーの量が少ないため、トナーの過帯電が起こり、感光体の絶縁破壊による黒点が発生した。
比較例２では、共役系ポリマーの量が多いため、トナーリークサイトが多すぎ、トナーの帯電不良によるかぶりが発生した
比較例３では、共役系ポリマーを用いていないため、トナーの過帯電が顕著となり、耐刷による画像濃度の低下および感光体の絶縁破壊による黒点が発生した。
【産業上の利用可能性】
【００５０】
本発明のトナーは、アモルファスシリコン感光体を具備する画像形成装置用のトナーとして有用である。
【図面の簡単な説明】
【００５１】
【図１】アモルファスシリコン感光体を具備する画像形成装置の一例を示す概略構成図である。
【符号の説明】
【００５２】
３０  複写機（画像形成装置）
４１  アモルファスシリコン感光体
【図１】
2008216856.tif 000004